(57)【要約】【課題】電極とリード線との接続を容易にすることができるトランスデューサ及びその製造方法を提供する。【解決手段】トランスデューサ１は、誘電体層１１と、複数の第一貫通孔１２ａを備え誘電体層１１の第一面側に配置される第一電極シート１２と、融着材料により形成されており、誘電体層１１のうち第一面側の少なくとも一部分として配置され又は誘電体層１１の第一面に別部材として接合され、誘電体層１１と第一電極シート１２とを融着材料の融着により接合する第一主融着層１３と、第一電極シート１２と第一主融着層１３との間に部分的に配置され、第一主融着層１３が第一電極シート１２に融着することを規制し、第一電極シート１２の少なくとも一部を第一主融着層１３の外部に配置させる第一融着規制層２２とを備える。【選択図】図４
2020053553.tif 000002
【特許請求の範囲】
【請求項１】
誘電体層と、
複数の第一貫通孔を備え、前記誘電体層の第一面側に配置される第一電極シートと、
融着材料により形成されており、前記誘電体層のうち前記第一面側の少なくとも一部分として配置され又は前記誘電体層の前記第一面に別部材として接合され、前記誘電体層と前記第一電極シートとを前記融着材料の融着により接合する第一主融着層と、
前記第一電極シートと前記第一主融着層との間に部分的に配置され、前記第一主融着層が前記第一電極シートに融着することを規制し、前記第一電極シートの少なくとも一部を前記第一主融着層の外部に配置させる第一融着規制層と、
を備える、トランスデューサ。
【請求項２】
前記第一融着規制層は、前記融着材料の通過を規制可能な材料により形成されている、請求項１に記載のトランスデューサ。
【請求項３】
前記第一融着規制層の外縁部は、前記第一主融着層に埋設される、請求項１又は２に記載のトランスデューサ。
【請求項４】
前記第一主融着層は、前記第一融着規制層の存在しない領域において、前記第一電極シートの一部を埋設し、前記第一電極シートの前記一部を前記第一主融着層の外部に露出させないように配置される、請求項１−３の何れか一項に記載のトランスデューサ。
【請求項５】
前記第一融着規制層は、前記第一電極シートに非接合状態で配置されている、請求項１−４の何れか一項に記載のトランスデューサ。
【請求項６】
前記第一融着規制層は、前記融着材料の軟化点より高い軟化点を有する材料により形成されている、請求項１−５の何れか一項に記載のトランスデューサ。
【請求項７】
前記第一融着規制層は、樹脂シートである、請求項６に記載のトランスデューサ。
【請求項８】
前記トランスデューサは、さらに、
前記第一電極シートのうち前記第一融着規制層により前記第一主融着層の外部に配置している部分に電気的に接続される第一リード線を備える、請求項１−７の何れか一項に記載のトランスデューサ。
【請求項９】
前記トランスデューサは、さらに、
前記第一融着規制層に面する領域において、前記第一電極シートと前記第一リード線とを電気的に接続した状態で固着し、導電性接合材からなる第一固着層を備える、請求項８に記載のトランスデューサ。
【請求項１０】
前記トランスデューサは、さらに、
前記第一融着規制層に面する領域において前記第一電極シート及び前記第一リード線を被覆する第一接続保護層を備える、請求項８又は９に記載のトランスデューサ。
【請求項１１】
前記トランスデューサは、さらに、
融着材料により形成されており、前記第一接続保護層の少なくとも一部分として配置され又は前記第一接続保護層に別部材として接合され、前記融着材料の融着により前記第一電極シートと前記第一接続保護層とを接合する第一接続融着層を備える、請求項１０に記載のトランスデューサ。
【請求項１２】
前記第一リード線の導通部は、前記第一融着規制層に面する領域において、前記第一電極シートに絡められている、請求項８−１１の何れか一項に記載のトランスデューサ。
【請求項１３】
請求項１−１２の何れか一項に記載のトランスデューサの製造方法であって、
前記誘電体層、前記第一主融着層の素材、前記第一融着規制層、前記第一電極シートの順となるように積層することにより積層体を形成し、
前記積層体に対して前記第一電極シートの第一外面側から加熱することにより前記第一主融着層の前記素材を溶融して、前記第一融着規制層に面する領域を除く領域において前記第一主融着層により前記誘電体層と前記第一電極シートとを接合すると共に、前記第一融着規制層に面する領域において前記第一電極シートを露出させた状態とする、トランスデューサの製造方法。
【請求項１４】
請求項９に記載のトランスデューサの製造方法であって、
前記誘電体層、前記第一主融着層の素材、前記第一融着規制層、前記第一電極シートの順となるように積層することにより積層体を形成し、
前記積層体に対して前記第一電極シートの第一外面側から加熱することにより前記第一主融着層の前記素材を溶融して、前記第一融着規制層に面する領域を除く領域において前記第一主融着層により前記誘電体層と前記第一電極シートとを接合すると共に、前記第一融着規制層に面する領域において前記第一電極シートを露出させた状態とし、
前記第一融着規制層に面する領域において露出している前記第一電極シートと前記第一リード線とを前記第一固着層により電気的に接続した状態で固着する、トランスデューサの製造方法。
【請求項１５】
請求項１０に記載のトランスデューサの製造方法であって、
前記誘電体層、前記第一主融着層の素材、前記第一融着規制層、前記第一電極シートの順となるように積層することにより積層体を形成し、
前記積層体に対して前記第一電極シートの第一外面側から加熱することにより前記第一主融着層の前記素材を溶融して、前記第一融着規制層に面する領域を除く領域において前記第一主融着層により前記誘電体層と前記第一電極シートとを接合すると共に、前記第一融着規制層に面する領域において前記第一電極シートを露出させた状態とし、
前記第一融着規制層に面する領域において前記第一電極シートに前記第一リード線を接続した状態において、前記第一接続保護層により前記第一電極シート及び前記第一リード線を被覆する、トランスデューサの製造方法。
【発明の詳細な説明】
【技術分野】
【０００１】
本発明は、トランスデューサ及びその製造方法に関するものである。
【背景技術】
【０００２】
特許文献１には、多層型ピエゾアクチュエータにおけるワイヤメッシュ形状の外部電極の自由端に、半田付けや溶接によって、リード線を接続する構成が開示されている。特許文献２には、積層型圧電素子における外部電極の端部に、半田や導電性樹脂等の導電性接合材によりリード線を接続し、外部電極の端部とリード線との接続部を樹脂で覆う構成が開示されている。
【０００３】
特許文献３には、ポリマー圧電体に多孔シート状の電極が埋設された圧電素子が開示されている。この圧電素子は、ポリマー圧電体フィルム又はシートの表面をアセトン等の有機溶媒で処理し、その後に処理表面に多孔シート状の電極を積層して圧着することにより製造される。
【先行技術文献】
【特許文献】
【０００４】
【特許文献１】特表２０１２−５００４８６号公報
【特許文献２】特許第５４６５３３７号公報
【特許文献３】特許第３１０５６４５号公報
【発明の概要】
【発明が解決しようとする課題】
【０００５】
ところが、特許文献３のように、電極が埋設された状態において、電極にリード線を接続することは容易ではない。本発明は、電極とリード線との接続を容易にすることができるトランスデューサ及びその製造方法を提供することを目的とする。
【課題を解決するための手段】
【０００６】
本発明に係るトランスデューサは、誘電体層と、複数の第一貫通孔を備え、前記誘電体層の第一面側に配置される第一電極シートと、融着材料により形成されており、前記誘電体層のうち前記第一面側の少なくとも一部分として配置され又は前記誘電体層の前記第一面に別部材として接合され、前記誘電体層と前記第一電極シートとを前記融着材料の融着により接合する第一主融着層と、前記第一電極シートと前記第一主融着層との間に部分的に配置され、前記第一主融着層が前記第一電極シートに融着することを規制し、前記第一電極シートの少なくとも一部を前記第一主融着層の外部に配置させる第一融着規制層とを備える。
【０００７】
第一融着規制層によって、第一主融着層が第一電極シートの一部に接合されず、第一電極シートの一部が第一主融着層の外部に配置される。従って、第一電極シートに第一リード線等を電気的に接続することが、容易且つ確実となる。
【０００８】
また、本発明に係るトランスデューサの製造方法は、前記誘電体層、前記第一主融着層の素材、前記第一融着規制層、前記第一電極シートの順となるように積層することにより積層体を形成し、前記積層体に対して前記第一電極シートの第一外面側から加熱することにより前記第一主融着層の前記素材を溶融して、前記第一融着規制層に面する領域を除く領域において前記第一主融着層により前記誘電体層と前記第一電極シートとを接合すると共に、前記第一融着規制層に面する領域において前記第一電極シートを第一主融着層の外部に配置させた状態とする。当該製造方法によれば、確実に、第一電極シートの一部を第一主融着層の外部に配置させることができる。従って、第一電極シートに第一リード線等を電気的に接続することが、容易且つ確実となる。
【図面の簡単な説明】
【０００９】
【図１】トランスデューサを構成する静電シートを示す斜視図である。
【図２】トランスデューサを構成する静電シートの平面図である。
【図３】図２のIII−III断面図である。
【図４】第一例の静電シートにおける図２のIV−IV断面図であって、静電シートの製造方法における接続保護層配置工程の状態を示す図でもある。
【図５】第二例の静電シートにおける図２のIV−IV断面図であって、静電シートの製造方法における接続保護層配置工程の状態を示す図でもある。
【図６】図２のVI−VI断面図である。
【図７】静電シートの製造方法における積層体形成工程の状態を示す図である。
【図８】静電シートの製造方法における加圧加熱工程の状態を示す図である。
【図９】静電シートの製造方法におけるリード線配置工程の状態を示す図である。
【図１０】静電シートの製造方法における固着層形成工程の状態を示す図である。
【発明を実施するための形態】
【００１０】
（１．トランスデューサ１の構成）
トランスデューサ１について、図１〜図６を参照して説明する。トランスデューサ１は、静電型である。つまり、トランスデューサ１は、電極間の静電容量の変化を利用して、振動や音等を発生させるアクチュエータとして機能させることができる。また、トランスデューサ１は、電極間の静電容量の変化を利用して、外部からの押込力等を検出するセンサ（外力検出センサ）、電位を有する導電体の接触又は接近を検出するセンサ（接触接近センサ）として機能させることができる。
【００１１】
トランスデューサ１がアクチュエータとして機能する場合には、電極に電圧が印加されることにより、電極間の電位に応じて誘電体が変形し、誘電体の変形に伴って振動が発生する。トランスデューサ１が外力検出センサとして機能する場合には、外部からの押込力や振動や音などの入力に起因して誘電体が変形することにより電極間の静電容量が変化し、電極間の静電容量に応じた電圧を検出することで、外部からの押込力等を検出する。また、トランスデューサ１が接触接近センサとして機能する場合には、電位を有する導電体の接触又は接近により、電極間の静電容量が変化し、変化した電極間の静電容量に応じた電圧を検出することで、当該導電体の接触又は接近を検出する。
【００１２】
図１に示すように、トランスデューサ１は、シート状に形成された静電シートを備える。ただし、トランスデューサ１は、図１に示す基本構成である静電シートを複数積層するようにしてもよい。トランスデューサ１は、シート本体部１０と、第一接続部２０と、第二接続部３０とにより構成された静電シートを備える。
【００１３】
シート本体部１０は、静電型のトランスデューサ１として機能するための主要な部分を構成する。シート本体部１０は、アクチュエータ又はセンサとして機能する範囲を構成するトランスデューサ部１０ａと、トランスデューサ部１０ａの縁に接続される端子部１０ｂとを備える。シート本体部１０は、誘電体層１１、第一電極シート１２、第一主融着層１３、第一主保護層１４、第二電極シート１５、第二主融着層１６、第二主保護層１７を備える。
【００１４】
第一接続部２０は、第一リード線２１を含み、第一リード線２１をシート本体部１０に接続する部分を構成する。第一接続部２０は、第一リード線２１、第一融着規制層２２、第一固着層２３、第一接続保護層２４、第一接続融着層２５を備える。第二接続部３０は、第二リード線３１を含み、第二リード線３１をシート本体部１０に接続する部分を構成する。第二接続部３０は、第二リード線３１、第二融着規制層３２、第二固着層３３、第二接続保護層３４、第二接続融着層３５を備える。
【００１５】
なお、トランスデューサ１は、第二電極シート１５に関する要素を備えない構成としてもよい。すなわち、トランスデューサ１は、第二電極シート１５、第二主融着層１６、第二主保護層１７、第二リード線３１、第二融着規制層３２、第二固着層３３、第二接続保護層３４を備えない構成としてもよい。この場合、トランスデューサ１を構成する静電シートは、誘電体層１１と、第一電極シート１２に関する要素とを備える構成となる。すなわち、トランスデューサ１は、シート本体部１０として、誘電体層１１、第一電極シート１２、第一主融着層１３、第一主保護層１４を備えると共に、第一接続部２０を備える。そして、トランスデューサ１は、第二電極シート１５に相当する変形不能な導電部材（図示せず）を備える構成とすることもできる。
【００１６】
シート本体部１０の構成について説明する。誘電体層１１は、弾性変形可能な誘電材料により形成される。詳細には、誘電体層１１は、熱可塑性材料、特に熱可塑性エラストマーにより形成されている。誘電体層１１は、シート状で、所望の外形に形成されている。誘電体層１１は、厚み方向に伸縮すると共に、厚み方向の伸縮に伴って面方向に伸縮する構造を有する。
【００１７】
第一電極シート１２及び第二電極シート１５は、導電性を有しつつ、柔軟性及び面方向に伸縮性を有する。第一電極シート１２及び第二電極シート１５は、例えば、導電性布である。導電性布とは、導電性繊維により形成された織物又は不織布である。ここで、導電性繊維は、柔軟性を有する繊維の表面を導電性材料により被覆することにより形成される。導電性繊維は、例えば、ポリエチレン等の樹脂繊維の表面に、銅やニッケルなどをメッキすることにより形成される。
【００１８】
第一電極シート１２は、繊維により布を形成されることで、複数の第一貫通孔１２ａ（図２に示す）を備えると共に、柔軟性を有し、面方向に伸縮可能である。第二電極シート１５は、第一電極シート１２と同様に、複数の第二貫通孔１５ａ（図２に示す）を備える。
【００１９】
図２においては、第一電極シート１２及び第二電極シート１５は、導電性織物である場合を例にあげるが、導電性不織布を適用することもできる。第一電極シート１２は、例えば、図２に示すように、導電性織物の場合には、導電性繊維を縦糸と横糸として織ることにより形成されている。縦糸と横糸により囲まれる領域が、第一貫通孔１２ａとなる。第二貫通孔１５ａも同様である。
【００２０】
なお、第一電極シート１２が導電性不織布である場合には、第一貫通孔１２ａが不規則に形成される。また、第一電極シート１２及び第二電極シート１５は、導電性布の他に、柔軟性及び伸縮性を有する薄膜のパンチングメタルを適用することもできる。この場合、第一貫通孔１２ａ及び第二貫通孔１５ａは、パンチにより打ち抜かれた部位となる。また、第一電極シート１２は、導電性材料を含有し、複数の貫通孔を備えるエラストマーシート（ゴムシートを含む）を適用することもできる。なお、本例において、エラストマーとは、弾性を有する高分子材料であり、ゴム弾性体、及び、ゴム弾性体以外のゴム状を有する弾性体を含む意味で用いている。
【００２１】
第一電極シート１２及び第二電極シート１５は、同程度の大きさに形成され、且つ、誘電体層１１の外形と同様の外形に形成されている。ただし、端子部１０ｂにおいては、第一電極シート１２及び第二電極シート１５は、異なる形状であることが許容される。第一電極シート１２は、誘電体層１１の第一面（図１の上面）側に配置される。第二電極シート１５は、誘電体層１１の第二面（図１の下面）側に配置される。従って、少なくともトランスデューサ部１０ａにおいては、第一電極シート１２及び第二電極シート１５は、誘電体層１１を挟んだ状態で、対向して配置されている。
【００２２】
ここで、第一電極シート１２において、第二電極シート１５に対向する側の面を第一内面１２ｂとし、第二電極シート１５と反対側の面を第一外面１２ｃとする。また、第二電極シート１５において、第一電極シート１２に対向する側の面を第二内面１５ｂとし、第一電極シート１２と反対側の面を第二外面１５ｃとする。
【００２３】
図３に示すように、第一電極シート１２は、誘電体層１１の第一面側（図３の上側）に配置されている。第一電極シート１２と誘電体層１１とは、融着材料により形成された第一主融着層１３により接合されている。
【００２４】
図３においては、第一電極シート１２は、誘電体層１１の素材１１ａ（図７に示す）の第一面側に埋設されている。つまり、誘電体層１１のうち第一面側の一部分が、誘電体層１１の本体部分と第一電極シート１２とを接合する第一主融着層１３として機能する。換言すると、第一主融着層１３は、誘電体層１１のうち第一面側の少なくとも一部分として配置され、第一電極シート１２と誘電体層１１の本体部分とを接合する。なお、第一主融着層１３は、誘電体層１１の第一面に別部材として接合され、第一電極シート１２と誘電体層１１とを接合することもできる。
【００２５】
また、上述したように、第一電極シート１２は、誘電体層１１の素材１１ａの第一面側に埋設されている。つまり、第一主融着層１３は、誘電体層１１の本体部分と第一電極シート１２の第一内面１２ｂとの境界部位、及び、誘電体層１１の本体部分と第一電極シート１２の複数の第一貫通孔１２ａの内周面との境界部位を接合する。
【００２６】
さらに、第一主保護層１４が、第一電極シート１２の第一外面１２ｃに接合した状態で、第一外面１２ｃを被覆している。誘電体層１１の素材１１ａのうち第一面側の一部分が、第一主保護層１４として機能する。つまり、第一主保護層１４は、第一主融着層１３と同様に、誘電体層１１の素材１１ａの第一面側の一部分として配置され、融着材料の融着により第一外面１２ｃを被覆する。なお、第一主保護層１４は、誘電体層１１の第一面側に別部材として配置され、第一外面１２ｃを被覆することもできる。なお、第一電極シート１２の第一外面１２ｃは、外側に露出するようにしてもよい。
【００２７】
また、図３に示すように、第二電極シート１５は、第一電極シート１２と同様に、誘電体層１１の素材１１ａの第二面側（図３の下側）に埋設されている。つまり、誘電体層１１のうち第二面側の一部分が、誘電体層１１の本体部分と第二電極シート１５とを接合する第二主融着層１６として機能する。換言すると、第二主融着層１６は、誘電体層１１のうち第二面側の少なくとも一部分として配置され、融着材料の融着により第二電極シート１５と誘電体層１１の本体部分とを接合する。なお、第二主融着層１６は、誘電体層１１の第二面に別部材として接合され、融着材料の融着により第二電極シート１５と誘電体層１１とを接合することもできる。
【００２８】
また、上述したように、第二電極シート１５は、誘電体層１１の素材１１ａの第二面側に埋設されている。つまり、第二主融着層１６は、誘電体層１１の本体部分と第二電極シート１５の第二内面１５ｂとの境界部位、及び、誘電体層１１の本体部分と第二電極シート１５の複数の第二貫通孔１５ａの内周面との境界部位を接合する。
【００２９】
さらに、第二主保護層１７が、第二電極シート１５の第二外面１５ｃに接合した状態で、第二外面１５ｃを被覆している。誘電体層１１の素材１１ａのうち第二面側の一部分が、第二主保護層１７として機能する。つまり、第二主保護層１７は、第二主融着層１６と同様に、誘電体層１１の素材１１ａの第二面側の一部分として配置され、融着材料の融着により第二外面１５ｃを被覆する。なお、第二主保護層１７は、誘電体層１１の第二面側に別部材として配置され、第二外面１５ｃを被覆することもできる。なお、第二電極シート１５の第二外面１５ｃは、外側に露出するようにしてもよい。
【００３０】
ここで、図３においては、第一主融着層１３及び第二主融着層１６は、熱可塑性エラストマーにより形成されている誘電体層１１の素材に熱を加えることにより形成されている。そのため、第一主融着層１３及び第二主融着層１６は、誘電体層１１と同一材料成分により構成されている。つまり、誘電体層１１の材料成分が実質的に変化することなく、第一主融着層１３及び第二主融着層１６が形成されている。このことは、第一主融着層１３及び第二主融着層１６に、揮散型接着剤や有機溶媒等の成分が含まれていないことを意味する。
【００３１】
第一接続部２０の構成について、図４及び図５を参照して説明する。第一リード線２１は、導線を絶縁材により被覆する第一リード線本体２１ａと、先端側に配置されており導線を露出する第一導通部２１ｂとを備える。第一リード線２１の第一リード線本体２１ａは、第一電極シート１２における誘電体層１１と反対側の面（第一外面１２ｃ）側に配置されている。第一リード線２１の第一導通部２１ｂは、誘電体層１１の第一面側に配置されている。第一導通部２１ｂは、図４に示すように、第一電極シート１２の第一外面１２ｃ側に配置してもよい。また、第一導通部２１ｂは、図５に示すように、第一電極シート１２に絡ませて配置してもよい。いずれの場合にも、第一導通部２１ｂは、第一電極シート１２に電気的に接続されている。
【００３２】
第一融着規制層２２は、シート状に形成されており、第一主融着層１３を構成する融着材料の通過を規制可能な材料により形成されている。第一融着規制層２２は、第一主融着層１３を構成する融着材料の軟化点よりも高い軟化点を有する材料により形成されている。軟化点を有しない材料は、無限大の軟化点を有する材料であることに相当する。例えば、第一融着規制層２２は、樹脂シート、耐熱紙等により形成されている。
【００３３】
第一融着規制層２２は、第一電極シート１２と第一主融着層１３との間に部分的に配置されている。詳細には、第一融着規制層２２は、第一リード線２１が配置される領域に配置されている。従って、第一融着規制層２２は、第一リード線２１が配置される領域において、第一主融着層１３が第一電極シート１２に融着することを規制する。つまり、第一融着規制層２２の中央部は、第一主融着層１３が存在しない状態とされている。従って、第一融着規制層２２は、中央部において、第一電極シート１２の少なくとも一部を第一主融着層１３の外側に露出させる。
【００３４】
ここで、第一融着規制層２２の外面における中央部は、第一主融着層１３に接合されておらず、且つ、第一電極シート１２に非接合状態で配置されている。一方、第一融着規制層２２の内面は、第一主融着層１３に接合されている。ただし、第一融着規制層２２の外面における外縁部は、第一主融着層１３に接合されている。つまり、第一融着規制層２２の外縁部は、第一主融着層１３に埋設されている。従って、第一融着規制層２２は、第一主融着層１３によって位置決めがされている。
【００３５】
従って、第一主融着層１３は、第一融着規制層２２が存在する領域において、第一電極シート１２に接合されていない。従って、第一主融着層１３は、第一融着規制層２２が存在する領域において、第一電極シート１２を外側に露出させている。一方、第一主融着層１３は、第一融着規制層２２が存在しない領域において、第一電極シート１２の一部を埋設し、第一電極シート１２の当該一部を外側に露出させないように配置されている。そして、第一電極シート１２のうち第一融着規制層２２により外側に露出している部分に、第一リード線２１の第一導通部２１ｂが電気的に接続される。
【００３６】
第一固着層２３は、第一融着規制層２２に面する領域において、第一リード線２１の第一導通部２１ｂを第一電極シート１２に電気的に接続した状態で、第一リード線２１の第一導通部２１ｂを第一電極シート１２に固着させる。第一固着層２３は、例えば、半田や導電性樹脂等の導電性接合材である。つまり、第一固着層２３により、第一リード線２１の第一導通部２１ｂが、第一電極シート１２に対して、広範囲に且つ確実に、電気的に接続される状態となる。
【００３７】
第一接続保護層２４は、熱可塑性材料、特に熱可塑性エラストマーにより、シート状に形成されている。第一接続保護層２４は、図２に示すように、第一リード線２１のうち第一電極シート１２上に位置する領域、及び、第一固着層２３が存在する領域に対応する形状に形成されている。第一接続保護層２４は、図４及び図５に示すように、第一電極シート１２における誘電体層１１と反対側の面（第一電極シート１２の第一外面１２ｃ）に配置され、第一リード線２１の第一導通部２１ｂ及び第一固着層２３を保護する。特に、第一接続保護層２４は、第一電極シート１２のうち第一主保護層１４により保護されていない部分を被覆する。
【００３８】
そして、第一接続保護層２４は、融着材料により形成された第一接続融着層２５により接合されている。詳細には、図４−図６に示すように、第一接続保護層２４は、第一接続融着層２５により、第一リード線２１、第一電極シート１２の第一外面１２ｃのうち露出している部分、及び、第一固着層２３に接合されている。
【００３９】
つまり、第一接続融着層２５は、第一接続保護層２４と第一リード線２１との境界部位を接合する。さらに、第一接続融着層２５は、第一接続保護層２４と第一電極シート１２との境界部位を接合する。詳細には、第一接続融着層２５は、第一電極シート１２の第一外面１２ｃ及び第一貫通孔１２ａの内周面を含む境界部位を接合する。
【００４０】
ここで、本例においては、第一接続保護層２４の一部分が、第一リード線２１等と接合する第一接続融着層２５として機能する。換言すると、第一接続融着層２５は、第一接続保護層２４の一部分として配置され、第一リード線２１等と第一接続保護層２４とを接合する。なお、第一接続融着層２５は、第一接続保護層２４に別部材として接合され、第一リード線２１等と第一接続保護層２４とを接合することもできる。
【００４１】
さらに、第一接続保護層２４の一部は、第一接続融着層２５により、第一主保護層１４にも接合されている。従って、第一接続保護層２４は、シート本体部１０と一体的となる。さらに、第一接続保護層２４の一部は、第一電極シート１２の第一貫通孔１２ａを介して、第一接続融着層２５により、第一融着規制層２２にも接合されている。
【００４２】
第一接続融着層２５は、上述したように、熱可塑性エラストマーにより形成されている第一接続保護層２４の素材に熱を加えることにより形成されている。そのため、第一接続融着層２５は、第一接続保護層２４と同一材料成分により構成されている。つまり、第一接続保護層２４の材料成分が実質的に変化することなく、第一接続融着層２５が形成されている。このことは、第一接続融着層２５に、揮散型接着剤や有機溶媒等の成分が含まれていないことを意味する。
【００４３】
ここで、上記の例においては、第一固着層２３により第一電極シート１２と第一リード線２１の第一導通部２１ｂとが電気的に接続されることとした。この他に、トランスデューサ１は、第一固着層２３を有しない構成とすることもできる。つまり、第一接続保護層２４が、第一接続融着層２５により、第一電極シート１２と第一リード線２１の第一導通部２１ｂとを電気的に接続させた状態で固着することもできる。この場合、第一電極シート１２と第一リード線２１の第一導通部２１ｂとが接触した状態において、第一接続保護層２４が、第一接続融着層２５により、第一電極シート１２及び第一リード線２１の第一導通部２１ｂとに接合する。さらに、第一接続保護層２４が、第一接続融着層２５により、第一融着規制層２２に接合することにより、第一電極シート１２と第一リード線２１の第一導通部２１ｂとを確実に固着させることができる。
【００４４】
第二接続部３０の構成について説明する。第二接続部３０は、実質的に、第一接続部２０と同様の構成からなる。第二リード線３１は、導線を絶縁材により被覆する第二リード線本体３１ａと、導線を露出する第二導通部３１ｂとを備える。第二リード線３１の第二リード線本体３１ａは、第二電極シート１５における誘電体層１１と反対側の面（第二外面１５ｃ）側に配置されている。第二リード線３１の第二導通部３１ｂは、誘電体層１１の第二面側に配置されている。第二導通部３１ｂは、第二電極シート１５の第二外面１５ｃ側に配置してもよいし、第二電極シート１５に絡ませて配置してもよい。そして、第二導通部３１ｂが、第二電極シート１５に電気的に接続されている。
【００４５】
第二融着規制層３２、第二固着層３３、第二接続保護層３４、第二接続融着層３５は、それぞれ、第一融着規制層２２、第一固着層２３、第一接続保護層２４、第一接続融着層２５と実質的に同様に構成される。そのため、これらの詳細な説明は省略する。
【００４６】
（２．静電シートの製造方法）
トランスデューサ１を構成する静電シートの製造方法について、図４、図５、図７−図１０を参照して説明する。以下において、主として、シート本体部１０及び第一接続部２０を含む部分について説明する。ここで、第二接続部３０は、第一接続部２０と同様に製造されるため、詳細な説明は省略する。
【００４７】
まず、シート本体部１０を構成する誘電体層１１の素材１１ａ、第一電極シート１２、及び、第二電極シート１５を準備する。ここで、誘電体層１１の素材１１ａは、図７の下面側から、第二主保護層１７の素材、第二主融着層１６の素材、誘電体層１１、第一主融着層１３の素材、及び、第一主保護層１４の素材を構成する。
【００４８】
さらに、第一接続部２０を構成する第一リード線２１、第一融着規制層２２、第一接続保護層２４の素材を準備する。ここで、第一接続保護層２４の素材は、第一接続融着層２５の素材、第一接続保護層２４を構成する。さらに、第二接続部３０を構成する第二リード線３１、第二融着規制層３２、第二接続保護層３４の素材を準備する。ここで、第二接続保護層３４の素材は、第二接続融着層３５、第二接続保護層３４を構成する。
【００４９】
次に、図７に示すように、（ａ）第二電極シート１５、（ｂ）誘電体層１１の素材１１ａ、（ｃ）第一融着規制層２２、（ｄ）第一電極シート１２の順に積層することにより、積層体が形成される（積層体形成工程：Ｓ１）。つまり、図７においては、第二電極シート１５、第二主保護層１７の素材、第二主融着層１６の素材、誘電体層１１、第一主融着層１３の素材、第一主保護層１４の素材、第一融着規制層２２、第一電極シート１２の順となるように積層されている。
【００５０】
また、図示しないが、第一融着規制層２２から誘電体層１１の素材１１ａの面方向にオフセットされた部位においては、第一融着規制層２２と表裏対象となるように、第二電極シート１５側に第二接続部３０を構成する第二融着規制層３２が配置されている。
【００５１】
続いて、積層体全体が、厚み方向に加圧されながら、加熱される（加圧加熱工程：Ｓ２）。これにより、熱可塑性エラストマーにより形成されている誘電体層１１の素材１１ａの第一面側が溶融する。そうすると、図８に示すように、第一融着規制層２２に面する領域を除く領域において、第一電極シート１２が誘電体層１１の素材１１ａの第一面側に埋設される。このようにして、誘電体層１１の素材１１ａの一部分が、第一主融着層１３を形成し、誘電体層１１と第一電極シート１２とを接合する。つまり、第一融着規制層２２に面する領域を除く領域において、第一主融着層１３が、誘電体層１１と第一電極シート１２とを接合する。さらに、第一融着規制層２２に面する領域を除く領域において、誘電体層１１の素材１１ａの一部分が、第一電極シート１２の第一外面１２ｃ側を被覆することにより、第一主保護層１４が形成される。
【００５２】
さらに、第一融着規制層２２に面する領域において、誘電体層１１の素材１１ａが、第一主融着層１３を形成し、誘電体層１１と第一融着規制層２２の内面とを接合する。ここで、第一融着規制層２２は、第一主融着層１３が第一電極シート１２に融着することを規制する。そのため、第一融着規制層２２によって、第一主融着層１３が第一電極シート１２の一部に接合されず、第一電極シート１２の一部が第一主融着層１３の外部に露出した状態で配置される。
【００５３】
そして、第一融着規制層２２の外面側の少なくとも中央部には、第一主融着層１３は存在しない。一方、第一融着規制層２２の外面側の外縁部には、第一主融着層１３が回り込んで配置される。つまり、第一融着規制層２２の外縁部は、第一主融着層１３により埋設される。
【００５４】
さらに、誘電体層１１の素材１１ａの第二面側の一部分が溶融する。そうすると、図示しないが、第二融着規制層３２に面する領域を除く領域において、第二電極シート１５が誘電体層１１の素材１１ａの第二面側に埋設される。つまり、第二融着規制層３２に面する領域を除く領域において、第二主融着層１６が、誘電体層１１と第二電極シート１５とを接合する。さらに、第二融着規制層３２に面する領域を除く領域において、誘電体層１１の素材１１ａの一部分が、第二電極シート１５の第二外面１５ｃ側を被覆することにより、第二主保護層１７が形成される。また、第二融着規制層３２に面する領域においては、第一融着規制層２２に面する領域と同様である。
【００５５】
続いて、図９に示すように、第一リード線２１が第一電極シート１２の第一外面１２ｃ側に配置される（リード線配置工程：Ｓ３）。第一リード線２１と同様に、第二リード線３１が第二電極シート１５側に配置される（リード線配置工程：Ｓ３）。
【００５６】
ここで、図４に示す第一例の静電シートを製造する場合には、図９に示すように、第一リード線２１の第一導通部２１ｂ全体が、第一電極シート１２の第一外面１２ｃ側に配置される。このようにして、第一リード線２１の第一導通部２１ｂが、第一電極シート１２に電気的に接続された状態となる。
【００５７】
一方、図５に示す第二例の静電シートを製造する場合には、図示しないが、第一リード線２１の第一導通部２１ｂは、第一電極シート１２に絡ませて配置される。なお、図５に示す第二例の静電シートを製造する場合には、第一リード線２１の第一導通部２１ｂを第一電極シート１２に絡ませる工程は、上述した加圧加熱工程の前に予め行うこともできる。
【００５８】
続いて、図１０に示すように、第一リード線２１の第一導通部２１ｂと第一電極シート１２との接続領域において、半田又は導電性樹脂等の導電性接合材により、第一固着層２３が形成される（固着層形成工程：Ｓ４）。つまり、第一融着規制層２２に面する領域において露出している第一電極シート１２と第一リード線２１の第一導通部２１ｂとが、第一固着層２３により電気的に接続した状態で固着される。第一融着規制層２２の存在により第一電極シート１２が露出しているため、第一電極シート１２と第一リード線２１の第一導通部２１ｂとが、容易且つ確実に電気的に接続される。さらに、第一固着層２３の形成と同様に、第二リード線３１の第二導通部３１ｂと第二電極シート１５とが第二固着層３３により電気的に接続される（Ｓ４）。
【００５９】
続いて、図４及び図５に示すように、第一融着規制層２２に面する領域において、第一接続保護層２４によって、第一電極シート１２、第一リード線２１の第一導通部２１ｂ、及び、第一固着層２３が被覆される（接続保護層配置工程：Ｓ５）。
【００６０】
本例においては、第一接続保護層２４の素材が、第一電極シート１２、第一リード線２１の第一導通部２１ｂ、及び、第一固着層２３の外側に配置され、厚み方向に加圧されながら、加熱される（接続保護層融着工程：Ｓ６）。そうすると、第一接続保護層２４の素材が溶融することにより形成された第一接続融着層２５が、第一電極シート１２、第一リード線２１の第一導通部２１ｂ、第一固着層２３、第一融着規制層２２を接合する。さらに、第一接続融着層２５の一部が、第一主保護層１４にも接合される。このようにして、第一接続保護層２４が、第一融着規制層２２に面する領域を被覆する。
【００６１】
また、第一接続保護層２４と同様に、第二接続保護層３４が、第二接続融着層３５により、第二電極シート１５、第二リード線３１の第二導通部３１ｂ、第二固着層３３、第二融着規制層３２、及び、第二主保護層１７の一部分に接合される（接続保護層配置工程：Ｓ５、接続保護層融着工程：Ｓ６）。
【００６２】
従って、第一融着規制層２２によって、第一主融着層１３が第一電極シート１２の一部に接合されず、第一電極シート１２の一部が確実に第一主融着層１３の外部に配置された状態となる。従って、第一電極シート１２に第一リード線２１の第一導通部２１ｂを電気的に接続することが、容易且つ確実となる。さらに、第一電極シート１２の一部が第一主融着層１３の外部に配置されることにより、第一固着層２３又は第一接続保護層２４により、第一電極シート１２と第一リード線２１の第一導通部２１ｂとが電気的に接続された状態を固定することができる。
【符号の説明】
【００６３】
１：トランスデューサ、１０：シート本体部、１０ａ：トランスデューサ部、１０ｂ：端子部、１１：誘電体層、１１ａ：素材、１２：第一電極シート、１２ａ：第一貫通孔、１２ｂ：第一内面、１２ｃ：第一外面、１３：第一主融着層、１４：第一主保護層、１５：第二電極シート、１５ａ：第二貫通孔、１５ｂ：第二内面、１５ｃ：第二外面、１６：第二主融着層、１７：第二主保護層、２０：第一接続部、２１：第一リード線、２１ａ：第一リード線本体、２１ｂ：第一導通部、２２：第一融着規制層、２３：第一固着層、２４：第一接続保護層、２５：第一接続融着層、３０：第二接続部、３１：第二リード線、３１ａ：第二リード線本体、３１ｂ：第二導通部、３２：第二融着規制層、３３：第二固着層、３４：第二接続保護層、３５：第二接続融着層
【図１】
2020053553.tif 000003
【図２】
2020053553.tif 000004
【図３】
2020053553.tif 000005
【図４】
2020053553.tif 000006
【図５】
2020053553.tif 000007
【図６】
2020053553.tif 000008
【図７】
2020053553.tif 000009
【図８】
2020053553.tif 000010
【図９】
2020053553.tif 000011
【図１０】
2020053553.tif 000012